(57)【特許請求の範囲】
【請求項１】
液透過性の表面シートと、
液不透過性の裏面シートと、
前記表面シートと前記裏面シートとの間に設けられ体液を吸収する吸収体とを有し、縦方向と幅方向とを有する本体部と、
前記本体部における幅方向の外側に突出し、下着の非肌当接面に折り返されるように形成された一対のウイング部と、
液不透過性の防漏シートと前記防漏シートに配置された弾性体とを有し、前記本体部の縦方向に沿って配置された一対の防漏部とを備える吸収性物品であって、
前記防漏部は、
前記ウイング部の折り返されない部分もしくは前記本体部の所定位置に接合される第１接合部と、
前記幅方向において、前記ウイング部の折り返される部分に配置され前記ウイング部もしくは前記本体部に接続される第２接合部と
を有し、
幅方向外端に配置された前記弾性体は、前記ウイング部の折り返し部分よりも幅方向外側に配置される吸収性物品。
【請求項２】
前記弾性体は、前記第２接合部よりも幅方向外側に配置される請求項１に記載の吸収性物品。
【請求項３】
前記防漏部は、
前記本体部の縦方向における前方領域に配置される後側接合部と、
前記本体部の縦方向における後方領域に配置される前側接合部とを有し、
前記後側接合部は、前記幅方向において、前記前側接合部よりも外側に配置され、
前記後側接合部に対応する前記裏面シートの非肌当接面側に、前記吸収性物品と下着の肌当接面とを固定する固定領域が形成される請求項１に記載の吸収性物品。
【請求項４】
前記本体部は、幅が他の部分よりも狭く形成された括れ部を有し、前記括れ部は前記ウイング部の前後と隣接されており、
前記括れ部それぞれの幅方向内側端を結ぶ直線上に、前記第２接合部が設けられる請求項１に記載の吸収性物品。
【請求項５】
前記本体部の幅方向に沿った前記吸収性物品の断面において、前記防漏シートは、ループ状に形成されている請求項１乃至３の何れか１項に記載の吸収性物品。
【発明の詳細な説明】
【技術分野】
【０００１】
本発明は、吸収性物品の幅方向に所定の距離を隔てて設けられ、吸収性物品の縦方向に延在する一対の防漏部を有する吸収性物品に関する。
【背景技術】
【０００２】
生理用ナプキンなどの吸収性物品には、下着に吸収性物品を固定するウイング部と、吸収性物品の外への体液などの液体の漏れを防止する防漏部とが設けられたものがある。防漏部は、細長い伸縮性部材を用いて形成されており、着用者の肌と吸収性物品との間に隙間ができないように吸収性物品を着用者の肌に追従させる機能を有する。
【０００３】
一例として、体液などの液体を吸収する吸収体の左右両側縁それぞれの近傍から起立した基壁部と、基壁部の上部に吸収性物品の内方及び外方へそれぞれ張り出す弾性伸縮部とを備えた防漏部を有する吸収性物品が開示されている（例えば、特許文献１参照）。
【０００４】
また、シート状部材の一方の端部が吸収体よりも吸収性物品の幅方向外側に接合されるとともに他方が吸収体の上側に位置する表面シート上に接合されることにより、吸収性物品の幅方向の断面が略Ω形状に膨らんだ立体形状の防漏部を有する吸収性物品が開示されている（例えば、特許文献２参照）。
【０００５】
これらの吸収性物品では、防漏部が着用者の肌に密着することによって着用者の肌と下着との間の隙間を埋めているため、吸収面の上を流れた体液などの液体が防漏部に阻まれて吸収性物品の外へと漏れない構造になっている。
【先行技術文献】
【特許文献】
【０００６】
【特許文献１】特開２００３−１８０７３６号公報（段落［００１０］、図２など）
【特許文献２】特開２００９−００６０６４号公報（段落［００２１］、図４など）
【発明の概要】
【発明が解決しようとする課題】
【０００７】
ところが、上述した従来の吸収性物品には、次のような問題点があった。特許文献１に開示された吸収性物品の防漏部は、基壁部の１箇所だけで表面シートに接合されているため、防漏部が吸収体の吸収面の上に倒れやすい。また、特許文献２に開示された吸収性物品は、就寝時の寝返り、座った状態での脚の組み替えなど、着用者の動きに応じて、吸収性物品の股下領域の幅が狭められたり捩れたりすると、吸収体の変形に追従して防漏部が吸収面の上に倒れやすい。
【０００８】
このように、防漏部が吸収面の上に倒れると、倒れた防漏部によって体液などの液体の吸収が妨げられる。また、吸収面の上に倒れた防漏部の上を体液などの液体が伝わって吸収性物品の外側に漏れることがあった。更に、体液などの液体が吸収された状態の吸収面の上に一度倒れた防漏部が正しい位置に復帰した際には、防漏部に付いた体液などの液体により着用者の肌や下着が汚れることがあった。
【０００９】
そこで、本発明は、防漏部が吸収面の上に倒れることを確実に防止できる吸収性物品の提供を目的とする。
【課題を解決するための手段】
【００１０】
上述した課題を解決するため、本発明に係る吸収性物品（吸収性物品１）は、次のような特徴を有する。液透過性の表面シート（表面シート１０）と、液不透過性の裏面シート（裏面シート２０）と、前記表面シートと前記裏面シートとの間に設けられ体液を吸収する吸収体（吸収体３０）とを有し、縦方向と幅方向とを有する本体部（本体部５０）と、前記本体部における幅方向の外側に突出し、下着の非肌当接面に折り返されるように形成された一対のウイング部（中央ウイング部２１，２２）と、液不透過性の防漏シート（防漏シート２００）と前記防漏シートに配置された弾性体（紐状体８０）とを有し、前記本体部の縦方向に沿って配置された一対の防漏部（防漏部２０１，２０２）とを備え、前記防漏部は、前記ウイング部の折り返されない部分の所定位置に接合される第１接合部（例えば、第１接合部３０１）と、前記幅方向において、前記ウイング部の折り返される部分に配置され、前記ウイング部もしくは前記本体部に接合される第２接合部（第２接合部３０３）とを有し、幅方向外端に配置された前記弾性体は、前記ウイングの折り返し部分よりも幅方向外側に配置されることを要旨とする。
【発明の効果】
【００１１】
本発明によれば、防漏部が吸収面の上に倒れることを確実に防止できる吸収性物品を提供することができる。
【図面の簡単な説明】
【００１２】
【図１】図１は、第１実施形態に係る吸収性物品の平面図である。
【図２】図２は、図１に示すＦ１−Ｆ１’線における断面の左側半分を拡大した拡大断面図である。
【図３】図３は、第１実施形態に係る吸収性物品の装着状態を説明する模式図である。
【図４】図４は、第２接合部の位置が異なる第１実施形態の変形例を説明する平面図である。
【図５】図５は、第２実施形態に係る防漏部の変形例を説明する拡大断面図である。
【図６】図６は、第３実施形態に係る吸収性物品の平面図である。
【図７】図７（ａ）は、図６に示すＦ６ａ−Ｆ６ａ’線における断面の左側半分を拡大した拡大断面図であり、図７（ｂ）は、図６に示すＦ６ｂ−Ｆ６ｂ’線における断面の左側半分を拡大した拡大断面図である。
【図８】図８は、第４実施形態に係る防漏部を説明する拡大断面図である。
【図９】図９は、第４実施形態に係る防漏部の変形例を説明する拡大断面図である。
【図１０】図１０は、第４実施形態に係る防漏部の変形例を説明する拡大断面図である。
【図１１】図１１は、第４実施形態に係る防漏部の変形例を説明する拡大断面図である。
【発明を実施するための形態】
【００１３】
以下において、本発明に係る吸収性物品１の実施形態について、図面を参照しながら説明する。具体的に、（１）第１実施形態、（２）第２実施形態、（３）第３実施形態、（４）第４実施形態、（５）その他の実施形態について説明する。
【００１４】
なお、以下の図面の記載において、同一又は類似の部分には、同一又は類似の符号を付している。ただし、図面は模式的なものであり、各寸法の比率などは現実のものとは異なることに留意すべきである。したがって、具体的な寸法などは以下の説明を参酌して判断すべきものである。また、図面相互間においても互いの寸法の関係や比率が異なる部分が含まれていることは勿論である。
【００１５】
（１）第１実施形態
（吸収性物品の概要）
本発明の第１実施形態に係る吸収性物品１について、図面を参照しながら説明する。図１は、本発明の実施形態に係る吸収性物品１の平面図である。図２は、図１に示すＦ１−Ｆ１’線における断面図である。
【００１６】
図１に示すように、吸収性物品１は、前方領域Ｆと中央領域Ｍと後方領域Ｒとを有する。中央領域Ｍは、着用者の膣口周辺の肌表面に接触する。前方領域Ｆは、中央領域よりも着用者の前方側（腹側）の肌表面に接触する。後方領域Ｒは、中央領域よりも着用者の後方側（背側）の肌表面に接触する。
【００１７】
吸収性物品１は、着用者の肌に当接する表面シート１０と、液体を透過しない液不透過性の裏面シート２０と、吸収体３０とを有する本体部５０を備える。表面シート１０側には、吸収性物品１の幅方向Ｗに所定の間隔を有し、本体部５０の縦方向Ｌに沿って一対の防漏部２０１，２０２が配設される。
【００１８】
吸収性物品１の前方領域Ｆと後方領域Ｒとの間の中央領域Ｍには、本体部５０における幅方向Ｗの外側に突出する中央ウイング部２１、中央ウイング部２２が形成される。中央ウイング部２１と中央ウイング部２２とは、吸収性物品１の幅方向Ｗに一対形成される。本実施形態では、中央ウイング部２１と中央ウイング部２２とは、裏面シート２０の一部が幅方向Ｗ外側に延出することによって形成されている。本体部５０は、幅が他の部分よりも狭く形成された括れ部２１ａ，２２ａを有する。中央ウイング部２１は、中央ウイング部２１の前後と隣接された括れ部２１ａそれぞれの幅方向のＷ内側端を結ぶ直線である仮想線Ｌ１において下着の非肌当接面側に折り返される。中央ウイング部２２も同様に仮想線Ｌ２において下着の非肌当接面に折り返される。本実施形態では、仮想線Ｌ１及びＬ２は、中央ウイング部２１，２２の本体部５０への付け根部分に対応している。
【００１９】
吸収性物品１は、後方ウイング部２３，２４を有する。後方ウイング部２３，２４は、中央ウイング部２１，２２よりも着用者の後方側に設けられ、下着の形状に沿って吸収性物品１の幅方向Ｗ外側に延出する。後方ウイング部２３，２４は、中央ウイング部２１，２２よりも後方側の後方領域Ｒにおいて本体部５０の幅方向Ｗ外側に延出する。
【００２０】
吸収性物品１は、中央ウイング部２１及び中央ウイング部２２における着用者の肌側とは反対の表面に、着用者の下着に固定される固定領域１０１Ｍ，１０２Ｍ，１０１Ｒ，１０２Ｒを有する。ここで、固定領域とは、接着材、接着テープ、面ファスナーなどが配置される領域である。本実施形態では、着用者が吸収性物品１を下着に固定するための接着材１００が塗工された領域を示す。固定領域１０１Ｍ，１０２Ｍ，１０１Ｒ，１０２Ｒは、図１において、破線で示される。
【００２１】
本実施形態では、接着材１００は、任意のパターンで容易に塗布できるホットメルト粘着材を使用する。ホットメルト粘着材は、スチレン系ポリマー、粘着付与剤、可塑剤から構成される。スチレン系ポリマーとしては、スチレン−エチレン−ブチレン−スチレンブロック共重合体、スチレン−ブタジエン−スチレンブロック共重合体、スチレン−イソブチレン−スチレンブロック共重合体、などを用いることができる。本実施形態では、スチレン−エチレン−ブチレン−スチレンブロック共重合体を使用した。粘着材は上記のものに限られないが、柔らかく、常温で接着材１００の繊維と繊維の間にめり込んで付着できる常温感圧性ホットメルト接着材を使用することができる。
【００２２】
本体部５０の表面には、表面シート１０から裏面シート２０側に向けて圧搾することにより溝部１１が形成されている。溝部１１は、防漏部２０１，２０２の縦方向Ｌに沿って形成される。防漏部２０１，２０２の内側の縁部２０１ｉ，２０２ｉと溝部１１との間隔は、中央ウイング２１，２２が設けられている部分において、１５ｍｍ以上であることが好ましい。
【００２３】
（表面シート）
本実施形態において、表面シート１０は、不織布である。表面シート１０の素材は、織布、有孔プラスチックシート等、液体を透過する構造のシート状の材料であれば、特に限定されない。織布や不織布の素材としては、天然繊維、化学繊維のいずれも使用できる。
【００２４】
天然繊維の例としては、粉砕パルプ、コットン等のセルロースが挙げられる。化学繊維の例としては、レーヨン、フィブリルレーヨン等の再生セルロース、アセテート、トリアセテート等の半合成セルロース、熱可塑性疎水性化学繊維、又は親水化処理を施した熱可塑性疎水性化学繊維などが挙げられる。熱可塑性疎水性化学繊維の例としては、ポリエチレン（ＰＥ）、ポリプロピレン（ＰＰ）、ポリエチレンテレフタレート（ＰＥＴ）等の単繊維、ポリエチレンとポリプロピレンをグラフト重合してなる繊維、芯鞘構造等の複合繊維が挙げられる。
【００２５】
不織布のウェブフォーミング方法としては、乾式（カード法、スパンボンド法、メルトブローン法、エアレイド法等）及び湿式のいずれか一つの方法を用いることができる。乾式法と湿式法のうち、複数の方法を組み合わせてもよい。また、サーマルボンディング、ニードルパンチ、ケミカルボンディング等の方法が挙げられる。不織布を作成する方法は、上述の方法に限定されない。
【００２６】
また、水流交絡法によりシート状に形成したスパンレースを表面シート１０に用いることもできる。また、不織布の上層側に凹凸を付けた不織布、又はウェブ形成時にエアーを当てることにより不織布に目付ムラを設けた凹凸不織布を表面シート１０に用いることもできる。表面に凹凸を形成することにより、体液が表面シート１０を透過する前に表面シート１０の表面を伝わって拡散することを軽減できる。
【００２７】
（裏面シート）
本実施形態において、裏面シート２０は、ポリエチレン、ポリプロピレン等を主体としたフィルム、通気性の樹脂フィルム、スパンボンド、又はスパンレース等の不織布に通気性の樹脂フィルムが接合されたシートなどを用いることができる。裏面シート２０は、着用時の違和感を生じさせない程度の柔軟性を有する材料とすることが好ましい。例えば、低密度ポリエチレン（ＬＤＰＥ）樹脂を主体とし、目付（単位面積当りの重さ（ｇ）：坪量という）が１５〜３０ｇ／ｍ２の範囲のフィルムを使用することが好ましい。
【００２８】
（吸収体）
吸収体３０は、親水性繊維、パルプを含む。親水性繊維の例としては、粉砕パルプ、コットン等のセルロース、レーヨン、フィブリルレーヨン等の再生セルロース、アセテート、トリアセテート等の半合成セルロース、粒子状ポリマー、繊維状ポリマー、熱可塑性疎水性化学繊維、又は、親水化処理を施した熱可塑性疎水性化学繊維等を単独又は混合して用いることができる。これらの中でも、低コストと吸収体の成形しやすさとを考慮すると、粉砕パルプを使用することが好ましい。親水性繊維に高分子吸収体を混合したものを吸収体３０として使用してもよい。本実施形態では、高分子吸収体は、吸収性、吸湿性のあるアクリル酸ナトリウム共重合体等の粒状ポリマーである。
【００２９】
吸収体３０は、親水性繊維又は粉体をエアレイド法によってシート状に成形したエアレイドシートでもよい。吸収体３０として、エアレイドシートを使用する場合、エアレイドシートの厚さは、０．３〜５．０ｍｍであるのが好ましい。エアレイドシートの例としては、繊維と粒子状ポリマーとをバインダー等でシート物に成形したものが挙げられる。なお、粒子状ポリマーは、エアレイドシートにおいて、層状に分散されていてもよいし、厚み方向に偏っていてもよい。
【００３０】
吸収体３０には、着用中の型崩れやヨレの防止、又は厚みを調整するため、エンボスが形成されていてもよい。パターニングされたエンボスロールとフラットロールとの間に、吸収体３０を通紙することによって吸収体３０へエンボスを形成できる。エンボスロールのパターンは、格子状、ドット状、波状等が用いられるが、厚みを調整しやすい格子状のパターンが好ましい。
【００３１】
（防漏部）
次に、防漏部２０１，２０２について具体的に説明する。図２は、図１に示すＦ１−Ｆ１’線における断面の左側半分を拡大した拡大断面図である。吸収性物品１に接合されている防漏部２０１，２０２は同一構造であるため、以下では、防漏部２０１の構造を説明する。
【００３２】
防漏部２０１は、本体部５０の縦方向Ｌに沿って配置される。具体的には、防漏部２０１は、表面シート１０の表面であって、吸収体３０の両側に配設される。防漏部２０１，２０２は、吸収性物品１の幅方向Ｗにおける内側の縁部（内縁）２０１ｉ，２０２ｉと、幅方向Ｗ外側の縁部（外縁）２０１ｅ，２０２ｅとを有する。本実施形態において、防漏部２０１，２０２は、表面シート１０の表面を伝う体液が吸収性物品１の外側へ漏れることを防止する。
【００３３】
図２に示すように、防漏部２０１は、液不透過性の防漏シート２００と防漏シート２００に配置された紐状体８０（弾性体）とを有する。なお、防漏部２０２は、図２に示す防漏部２０１と概ね対称の形状を有する。具体的には、防漏部２０１は、複数の防漏シート２００が重ね合わされて形成される。重ね合わされた防漏シート２００の間には、伸縮性を有するゴムなどの紐状体８０が本体部５０の縦方向Ｌに沿って伸張された状態で配設される。
【００３４】
防漏部２０１は、第１接合部３０１と第２接合部３０３とを有する。防漏部２０１は、吸収体３０の外縁３０ｅよりも外側にあり、第１接合部３０１において、本体部５０に接合される。第２接合部３０３は、第１接合部３０１よりも外側に配置されており、防漏シート２００同士を接合する。防漏部２０１に配置される紐状体８０の少なくとも一部は、第２接合部３０３よりも吸収性物品１の幅方向Ｗ外側に配置される。第１接合部３０１は、中央ウイング部２１のうち、中央ウイング部２１が下着の非肌当接面に折り返された場合でも折り返されない部分の所定位置に接合される。第２接合部３０３は、幅方向Ｗにおいて、第１接合部３０１よりも外側に配置され、中央ウイング部２１の折り返される部分に接合される。なお、接合部３０１及び３０３は、本体部５０（例えば、裏面シート２０）の所定位置に接合されてもよい。
【００３５】
本体部５０の幅方向Ｗに沿った吸収性物品１の断面において、防漏シート２００は、ループ部分２０１Ｒｐを有する。ループ部分２０１Ｒｐにおいては、防漏シート２００がループ状に形成されている。ループ部分２０１Ｒｐの内側は、中空になっている。ループ部分２０１Ｒｐの内側には、中空部２０１Ａｒが形成されている。
【００３６】
第１接合部３０１は、吸収性物品１の縦方向Ｌにおいて、少なくとも一対の中央ウイング部２１，２２の付け根部分に対応する位置に配置されていればよい。第１接合部３０１は、吸収体３０の縁部３０ｅよりも外側にある。また、防漏部２０１に配置される紐状体８０は、中央ウイング部２１，２２の折り返し部分よりも幅方向外側に配置されていればよい。本実施形態では、紐状体８０は、第２接合部３０３よりも吸収性物品１の幅方向Ｗ外側に配置される。
【００３７】
経血が防漏部２０１，２０２を乗り越えて吸収性物品１外方へ流れることを防止するためには、防漏部２０１，２０２は、疎水性又は撥水性を有することが好ましい。具体的には、防漏部２０１，２０２は、スパンボンド不織布やＳＭＳ不織布などから形成される。表面シート１０及び防漏部２０１，２０２は、肌との当接面を構成する。
【００３８】
また、着用者の下着と接触する裏面シート２０の表面には、裏面シート２０の縦方向Ｌに沿って接着材がライン状に塗布される（図１には不図示、図２参照）。接着材は、裏面シート２０の縦方向Ｌに沿って複数ライン塗布される。
【００３９】
吸収性物品１は、吸収性物品１の幅方向Ｗ外側から内側に向かって、防漏シート２００の最も外側である防漏シート外縁２０１ｅと、第２接合部３０３と、防漏部内縁２０１ｉ、第１接合部３０１と、吸収体３０の縁部３０ｅとが、吸収性物品１の幅方向Ｗ外側から内側に向かって順に配置される。
【００４０】
また、括れ部２１ａのそれぞれを縦方向Ｌに結んだ線（Ｌ１）は、第２接合部３０３と、第１接合部３０１との間に位置する。すなわち、防漏シート外縁２０１ｅと、第２接合部３０３と、仮想線Ｌ１と、第１接合部３０１と、吸収体３０の縁部３０ｅとは、吸収性物品１の幅方向Ｗ外側から内側に向かって、この順に配置される。
【００４１】
線Ｌ１，Ｌ２は、中央ウイング部２１、中央ウイング部２２を下着の肌当接面とは反対の衣服側に折り返すときの折り返し部分を示す。
【００４２】
（装着状態の説明）
図３は、吸収性物品１が着用者に装着されたときの装着状態を着用者の前方からみた模式図である。図３には、吸収性物品１が装着された下着Ｐを着用者Ｏが装着する様子が模式的に描かれている。防漏部２０１，２０２は、それぞれ２つの接合部（第１接合部３０１，３０２、第２接合部３０３，３０４）により接合されている。また、図２に示すように、防漏シート外縁２０１ｅと、紐状体８０と、第２接合部３０３と、第１接合部３０１と、吸収体３０の縁部３０ｅとが、吸収性物品１の幅方向Ｗ外側から内側に向かって順に配置され、中央ウイング部２１，２２の付け根部分に位置する折り返し部分（仮想線Ｌ１，Ｌ２）は、第１接合部３０１よりも吸収性物品１の幅方向Ｗ外側に位置している。
【００４３】
このような構成を有する吸収性物品１では、図３に示すように、中央ウイング部２１，２２が下着の非肌当接面側へ折り返されることに伴って、第１接合部３０１，３０２は下着の非肌当接面には折り返されず、第２接合部３０３，３０４は、中央ウイング２１，２２とともに下着の非肌当接面に折り返される。これにより、防漏部２０１，２０２も吸収性物品１の幅方向Ｗ外側へ倒されるため、装着時などに防漏部２０１，２０２が吸収体３０の吸収面の上に倒れることを確実に防止できる。
【００４４】
防漏部２０１，２０２は、吸収面の上に倒れないため、吸収面が十分に確保される。そのため、装着時に体液などの液体の吸収が妨げられることがない。また、吸収面の上に倒れた防漏部２０１，２０２の上を体液などの液体が伝わって吸収性物品１の外側に漏れることもない。更には、体液などの液体が吸収された状態の吸収面の上に一度倒れた防漏部２０１，２０２に付いた体液などの液体により着用者の肌や下着が汚れることがない。
【００４５】
また、吸収性物品１には、中央ウイング部２１，２２の前後に、吸収性物品１の幅方向Ｗの長さが短く形成された括れ部２１ａ，２２ａが形成されている。括れ部２１ａ，２２ａを吸収性物品１の縦方向Ｌに結んだ仮想線Ｌ１，Ｌ２において、中央ウイング部２１，２２が下着の非肌当接面側に折り返される。
【００４６】
括れ部２１ａ，２２ａが形成される場合には、前方領域Ｆにおいて仮想線Ｌ１，Ｌ２よりも幅方向Ｗ外側に位置する本体部５０の一部と、後方領域Ｒにおいて仮想線Ｌ１，Ｌ２よりも幅方向Ｗ外側に位置する本体部５０の一部とは、装着時に下着Ｐの脚回りよりも外側にはみ出る。また、図３に示すように、中央ウイング部２１，２２の付け根部分には、下着Ｐの脚回り部分に配設されたクロッチゴムＰｒが当接する。
【００４７】
そのため、括れ部２１ａ，２２ａが形成された場合には、下着Ｐの脚回りよりも外側にはみ出る本体部５０の一部がクロッチゴムＰｒによって肌側に押さえつけられるため、防漏部２０１，２０２が吸収面の上に倒れ込むことを防止すると共に、下着Ｐにおける吸収性物品１の装着位置を安定させることができる。
【００４８】
また、吸収性物品１の幅方向Ｗにおける断面において、防漏部２０１，２０２には、紐状体８０が配置されている。紐状体８０は、中央ウイング２１，２２の折り返し部分よりも幅方向外側に配置されている。これにより、紐状体８０が収縮することにより、防漏部２０１，２０２が下着Ｐとの肌面との隙間を埋める方向の力が働き、吸収性物品１を肌側に近づけることができる。更に、紐状体８０が第２接合部３０３よりも幅方向外側に配置されている場合には、吸収性物品１を肌側に引き上げる効果が一層高められる。
【００４９】
防漏シート２００は、ループ部分２０１Ｒｐを有する。ループ部分２０１Ｒｐの内側には、中空部Ａｒが形成されるため、防漏部２０１，２０２にクッション性を付与できる。これにより、図３に示すように、下着ＰのクロッチゴムＰｒと肌面との間に隙間が生じても、防漏部２０１，２０２のループ部分２０１Ｒｐが下着Ｐと肌面との隙間を埋めるため、体液などの液体が伝わって吸収性物品１の外側に漏れることを防止できる。
【００５０】
（変形例）
図１，２では、第２接合部３０３，３０４は、中央ウイング部２１，２２の付け根よりも内側に設けられる場合について説明したが、第２接合部の他に、別の接合部が、例えば、前方領域Ｆ，後方領域Ｒにそれぞれ設けられていてもよい。防漏部２０１，２０２の第１接合部３０１，３０２は、縦方向Ｌの全域に亘って接合されていることが好ましい。
【００５１】
図４は、変形例として示す吸収性物品１’の平面図である。変形例として示す吸収性物品１’では、第２接合部３０７，３０８の他に、更に、吸収性物品１’の縦方向Ｌにおいて着用者の腹側に位置する前方領域Ｆと、背中側に位置する後方領域Ｒのそれぞれに接合部が配置される。後方領域Ｒに配置される後側第２接合部３０３ｒ，３０４ｒは、本体部５０の幅方向Ｗにおいて、前方領域Ｆに配置される前側第２接合部３０３ｆ，３０４ｆよりも外側に配置される。そして、図４に示す変形例では、後側第２接合部３０３ｒ，３０４ｒに対応する裏面シート２０の非肌当接面側に、吸収性物品１’と下着の肌当接面とを固定する固定領域１０１Ｒ，１０２Ｒが形成される。
【００５２】
このように、後方領域Ｒでは、前方領域Ｆよりも幅方向Ｗ外側に後側第２接合部３０３ｒ，３０４ｒを配置し、後側第２接合部３０３ｒ，３０４ｒに対応する裏面シート２０の非肌当接面側に、固定領域１０１Ｒ，１０２Ｒが形成されることにより、中央ウイング部２１，２２を折り返すことによって外側に向けて拡げられた防漏部２０１，２０２が幅方向Ｗの外側において下着に支持されるため、防漏部２０１，２０２が吸収面の上に倒れ込むことを防止する効果を高めることができる。
【００５３】
（２）第２実施形態
（吸収性物品の概略）
図５を参照して、本発明の第２実施形態に係る吸収性物品２について説明する。図５は、防漏部の左側半分を拡大した拡大断面図である。吸収性物品２と吸収性物品１とは防漏部の形状が異なる。第１実施形態と同一の構成には、同一の番号を付けて詳細な説明を省略する。
【００５４】
吸収性物品２は、吸収性物品２の幅方向Ｗに所定の間隔を有し、吸収性物品２の縦方向Ｌに延在する一対の防漏部を有する。図５に示された防漏部２０３は、表面シート１０に接合する第１接合部３０５と、折り返された防漏シート２００同士を接合する第２接合部３０７とを有する。第１接合部３０５は、吸収体３０の縁部３０ｅよりも外側にある。第２接合部３０７は、第１接合部３０５よりも幅方向Ｗ外側に配置されている。防漏部２０３に配置される紐状体８０は、第２接合部３０７よりも吸収性物品２の幅方向Ｗ外側に配置される。
【００５５】
吸収性物品２は、図５に示すように、防漏シート２００の最も外側である防漏シート外縁２０３ｅと、第２接合部３０７と、第１接合部３０５と、防漏部内縁２０３ｉと、吸収体３０の縁部３０ｅとが、吸収性物品２の幅方向Ｗ外側から内側に向かって順に配置される。
【００５６】
以上説明した吸収性物品２では、中央ウイング部２１，２２を下着の非肌当接面側へ折り返すことに伴って、防漏部２０３，２０４も吸収性物品２の外側へ倒れるため、装着時などに防漏部２０３，２０４が吸収体３０の吸収面の上に倒れることを確実に防止できる。
【００５７】
（３）第３実施形態
図６，図７を参照して、本発明の第３実施形態に係る吸収性物品３について説明する。図６は、本発明の実施形態に係る吸収性物品３の平面図である。図７は、図６に示すＦ６−Ｆ６’線における断面の左側半分を拡大した拡大断面図である。吸収性物品３と吸収性物品１とは防漏部の形状が異なる。
【００５８】
図６及び図７に示すように、吸収性物品３は、防漏部２０５，２０６を有する。防漏部２０５の内部には、紐状体８０が吸収性物品３の縦方向Ｌに伸張された状態で設けられる。防漏部２０５は、吸収性物品３の幅方向Ｗ外側に延出する。防漏部２０５は、中央ウイング部２１，２２よりも表面シート１０側に設けられる。
【００５９】
防漏部２０５は、防漏部２０５の内側の縁部２０５ｉから幅方向Ｗ外側に延出する第１幅部２０５ａと、幅方向Ｗ外側に延出する長さが第１幅部２０５ａよりも短い第２幅部２０５ｂとを有する。
【００６０】
防漏部２０５，２０６は、接合部２１１ｆ、２１２ｆ、２１１ｒ、２１２ｒにおいて、本体部５０と接合されている。
【００６１】
第１幅部２０５ａの外側の縁部（防漏部外縁）２０５ａｅ，２０６ａｅは、括れ部２１ａ，２２ａ上に位置する。第１幅部２０５ａは、吸収性物品３の平面視において、括れ部２１ａ，２２ａよりも吸収性物品３の幅方向Ｗ外側に延出する。つまり、第１幅部２０５ａ，２０６ａは、括れ部２１ａ，２２ａを覆っている。
【００６２】
第２幅部２０５ｂは、吸収性物品３の平面視において、中央ウイング部２１，２２の上に位置する。第２幅部２０５ｂは、防漏部２０５の内側の縁部２０５ｉから幅方向Ｗ外側に突出する長さが第１幅部２０５ａよりも短い。吸収性物品３の防漏部２０５，２０６は、中央ウイング部２１，２２と接合されていないが、後方ウイング部２３，２４とは接合されていてもよい。
【００６３】
図７（ａ）は、図６に示すＦ６ａ−Ｆ６ａ’線における断面の左側半分を拡大した拡大断面図である。吸収性物品３は、図７（ａ）に示すように、吸収性物品３の幅方向Ｗ外側から内側に向かって、防漏部２０５の最も外側である防漏部外縁２０５ｂｅと、第１接合部３０９と、防漏部内縁２０５ｉ、吸収体３０の縁部３０ｅとが、吸収性物品３の幅方向Ｗ外側から内側に向かって、この順に配置される。
【００６４】
防漏部外縁２０５ａｅと、括れ部２１ａ，２１ｂのそれぞれを縦方向Ｌに結んだ線（Ｌ３，Ｌ４）と、第１接合部３０９と、吸収体３０の縁部３０ｅとが、吸収性物品３の幅方向Ｗ外側から内側に向かって順に配置される。
【００６５】
図７（ｂ）は、図６に示すＦ６ｂ−Ｆ６ｂ’線における断面の左側半分を拡大した拡大断面図である。吸収性物品３は、図７（ｂ）に示すように、吸収性物品３の幅方向Ｗ外側から内側に向かって、防漏部２０５の最も外側である防漏部外縁２０５ｅと、第２接合部３１１と、第１接合部３０９と、防漏部内縁２０５ｉ、吸収体３０の縁部３０ｅとが、吸収性物品３の幅方向Ｗ外側から内側に向かって、この順に配置される。
【００６６】
以上説明した吸収性物品３の防漏部２０５，２０６は、中央ウイング部２１，２２を下着の衣服側へ折り返すことに伴って、防漏部２０５，２０６も吸収性物品１の外側へ倒れるため、装着時などに防漏部２０５，２０６が吸収体３０の吸収面の上に倒れることを確実に防止できる。
【００６７】
（４）第４実施形態
図８は、第４実施形態に係る防漏部の変形例を説明する拡大断面図である。図８に示す防漏部４００は、外側防漏部４１０と内側防漏部４２０とを備える。外側防漏部４１０は、吸収体３０の縁部３０ｅよりも外側に形成されており、防漏部４００の最も幅方向Ｗ外側に位置する外側防漏部外縁４１０ｅを有する。内側防漏部４２０は、吸収体３０の縁部３０ｅの外側と、接合部５２０との間に設けられる。内側防漏部４２０も外側防漏部４１０と同様に吸収性物品の縦方向Ｌに延在して一対設けられる。外側防漏部４１０、内側防漏部４２０の内部には、伸縮性を有する紐状体８０が吸収性物品の縦方向Ｌに沿って伸張された状態で配設されている。
【００６８】
吸収体３０の表面には、吸収体が厚み方向に圧縮されることにより形成された溝部１１が吸収性物品の縦方向Ｌに沿って幅方向Ｗに所定の距離を隔てて形成されている。
【００６９】
内側防漏部４２０の内側の側縁（内側防漏部内縁）４２０ｉは、吸収体３０の縁部３０ｅの外側と、接合部５２０との間に配置されており、内側防漏部の外側の側縁（内側防漏部外縁）４２０ｅは、本体部５０に接合されない自由端になっている。
【００７０】
内側防漏部４２０は、外側防漏部４１０の一部に接合されており、外側防漏部４１０は、接合部５１０、５２０により、本体部５０の一部に接合される。これにより、中央ウイング部２１，２２が下着の衣服側に折り返された際に、内側防漏部４２０及び外側防漏部４１０は、中央ウイング部２１，２２とともに下着の衣服側の表面へ折り返される。したがって、体液などの液体を堰き止める効果を高めるために、内側防漏部４２０を設けても、上述した構成を有することにより、内側防漏部４２０が吸収体３０の吸収面の上へ倒れることを確実に防止できる。
【００７１】
また、内側防漏部４２０の自由端は、溝部１１よりも幅方向Ｗ外側に位置している。そのため、吸収体３０の吸収面の上を流れた体液などの液体が溝部１１に堰き止められ、たとえ内側防漏部４２０が吸収体３０の吸収面上に倒れた状態であっても、体液などの液体が溝部１１よりも外側に位置する、倒れた内側防漏部４２０に到達しにくい。
【００７２】
（変形例）
図９は、第４実施形態の内側防漏部４２０の変形例である。内側防漏部４２０は、内側防漏部内縁４２０ｉよりも幅方向Ｗ外側において、接合部５４０により、外側防漏部４１０の一部に接合されていてもよい。また、接合部５３０により、内側防漏部４２０同士接合されていてもよい。接合部５３０，５４０により内側防漏部４２０の立体的な広がりが規制されるため、吸収体３０の上への倒れ込みを防止できる。
【００７３】
図１０は、第４実施形態の内側防漏部４２０の変形例である。内側防漏部４２０は、内側防漏部の形状は、図８，９に示したように屈曲しているタイプに限定されない。例えば、図１０に示すような直線状に延びるタイプであってもよい。また、図１１に示すように、内側防漏部４２０の一部が外側防漏部４１０と互いに接合されていてもよい。
【００７４】
なお、紐状体８０は、外側防漏部４１０、内側防漏部４２０に必ずしも配置されていなくてもよい。
【００７５】
（５）その他の実施形態
上述したように、本発明の実施形態を通じて本発明の内容を開示したが、この開示の一部をなす論述及び図面は、本発明を限定するものであると理解すべきではない。この開示から当業者には様々な代替実施の形態、実施例及び運用技術が明らかとなろう。
【００７６】
例えば、本発明の実施形態は、次のように変更することができる。防漏部２０１，２０２は、別体として製造された後、所定位置に配設されてもよいし、ウイング部を構成するシートと一体に形成されていてもよい。
【００７７】
第２実施形態では、第２接合部３０３は、吸収性物品１の縦方向Ｌにおいて着用者の腹側に位置する前方領域Ｆと、背中側に位置する後方領域Ｒとに配置されており、後方領域Ｒに配置される後側第２接合部３０３ｒは、前方領域Ｆに配置される前側第２接合部３０３ｆよりも、吸収性物品１の幅方向Ｗ外側に配置されると説明した。この態様は、防漏部の形状によらず適用可能である。すなわち、第２，第３，第４実施形態の全てに適用可能である。
【００７８】
実施形態では、吸収性物品１は、吸収性物品１の幅方向Ｗ外側から内側に向かって、防漏シート外縁２０１ｅ，２０２ｅと、第２接合部３０３と、仮想線Ｌ１，Ｌ２と、第１接合部３０１と、吸収体３０の縁部３０ｅとが、吸収性物品１の幅方向Ｗ外側から内側に向かって、この順に配置されると説明した。しかし、第２接合部３０３と、線Ｌ１，Ｌ１とは、重複していてもよい。また、吸収体３０の縁部３０ｅと縁部２０１ｉとが重複する位置にあってもよい。更に、吸収体３０の縁部３０ｅと、縁部２０１ｉと、第１接合部３０１とが重複する位置にあってもよい。
【００７９】
また、上述した実施形態において、第１接合部３０１は、吸収性物品の縦方向Ｌの全域に亘って配設されており、第２接合部３０３は、例えば、中央領域Ｍに配設されていると説明したが、第２接合部３０３は、防漏部の少なくとも１箇所を接合していればよく、後方領域Ｒのみに設けられていてもよい。これは、第２，第３，第４実施形態の全てに適用可能である。
【００８０】
図８〜図１１では、外側防漏部４１０と内側防漏部４２０のパターンについて説明したが、例えば、同一の吸収性物品のなかで、図８において説明した内側防漏部４２０の一部を、図９において示したように、接合部５３０，５４０で接合してもよい。同様に、図１０において説明した内側防漏部４２０の一部を、図１１において示したように、接合部５５０で接合してもよい。
【００８１】
このように、本発明は、ここでは記載していない様々な実施の形態などを含むことは勿論である。したがって、本発明の技術的範囲は、上述の説明から妥当な特許請求の範囲に係る発明特定事項によってのみ定められるものである。
【符号の説明】
【００８２】
１，２，３…吸収性物品、  １０…表面シート、  １１…溝部、  ２０…裏面シート、  ２１，２２…中央ウイング部、  ２１ａ，２１ｂ…括れ部、  ２３，２４…後方ウイング部、  ３０…吸収体、  ３０ｅ…縁部、  ５０…本体部、  ８０…紐状体、  １００…接着材、  １０１Ｍ，１０２Ｍ，１０１Ｒ，１０２Ｒ…固定領域、  ２００…防漏シート、  ２０１，２０２…防漏部  ２０１ｅ，２０２ｅ…防漏シート外縁、  ２０１Ａｒ…中空部、  ２０１Ｒｐ…ループ部分、  ２０１ｉ，２０２ｉ…縁部、  ２０３，２０４…防漏部、  ２０３ｅ…防漏シート外縁、  ２０３ｉ…防漏部内縁、  ２０５，２０６…防漏部、  ２０５ａ…第１幅部、  ２０５ａｅ…防漏部外縁、  ２０５ｂ…第２幅部、  ２０５ｅ…防漏部外縁、  ２０５ｉ…防漏部内縁、  ２１１ｆ，２１２ｆ，２１１ｒ，２１２ｒ…接合部、  ３０１，３０２…第１接合部、  ３０３，３０４…第２接合部、  ３０３ｆ，３０４ｆ…前側第２接合部、  ３０３ｒ，３０４ｒ…後側第２接合部、  ３０５…第１接合部、  ３０７…第２接合部、  ３０９…第１接合部、  ３１１…第２接合部、  ４００…防漏部、  ４１０…外側防漏部、  ４１０ｉ…内縁、  ４２０…内側防漏部、  ４２０ｉ…内側防漏部内縁、  ５１０，５２０，５３０，５４０…接合部、  Ｌ１，Ｌ２…仮想線、  Ｏ…着用者、  Ｐ…下着、  Ｐｒ…クロッチゴム
【図１】
0005432753.tif 000002
【図２】
0005432753.tif 000003
【図３】
0005432753.tif 000004
【図４】
0005432753.tif 000005
【図５】
0005432753.tif 000006
【図６】
0005432753.tif 000007
【図７】
0005432753.tif 000008
【図８】
0005432753.tif 000009
【図９】
0005432753.tif 000010
【図１０】
0005432753.tif 000011
【図１１】
0005432753.tif 000012